(57)【要約】【課題】鼻の根元及び鼻の全体を十分に密着させることができ、鼻部全体から皮脂や汚れを十分に吸引できる美顔器を提供する。【解決手段】吸引ノズル２を吸引ポンプ２０の装着部２７に対して着脱可能なアタッチメントとし、装着部２７と吸引ノズル２の間にシール部材２８を設けて空気漏れを防止する。吸引ノズル２は、吸引口の開口の小さい第１端部２Ｄと吸引口の開口の大きい第２端部２Ｅのいずれからも装着部２７に装着可能であり、鼻の根元や鼻の側面などを吸引するときは、吸引口の開口の小さい第１端部２Ｄを用いて肌を吸引する。また、頬など鼻以外の部分を吸引するには、吸引口の開口の大きい第２端部２Ｅを用いて肌を吸引する。【選択図】図３
2005198988.tif 000002
【特許請求の範囲】
【請求項１】
吸引力を発生させるための吸引ポンプと、
前記吸引ポンプの装着部に着脱可能であり、吸引口の開口の小さい第１端部と吸引口の開口の大きい第２端部を有し、前記第１端部及び前記第２端部のいずれからも前記装着部に装着可能な吸引ノズルと、
前記装着部の内周面と前記吸引ノズルの外周面との間に設けられ、前記装着部と前記吸引ノズルの間を密閉するシール部材を備えたことを特徴とする美顔器。
【請求項２】
前記シール部材は、前記装着部の内周部に設けられていることを特徴とする請求項１に記載の美顔器。
【請求項３】
前記シール部材は、前記吸引ノズルの外周部に設けられていることを特徴とする請求項１に記載の美顔器。
【請求項４】
前記各吸引口の開口は、略円形、略楕円形及び略小判型から選択されたいずれか１つの形状を有することを特徴とする請求項１乃至請求項３のいずれかに記載の美顔器。
【請求項５】
前記吸引ノズルは弾性材料で形成されていることを特徴とする請求項１乃至請求項４のいずれかに記載の美顔器。
【請求項６】
前記吸引ノズルの近傍に設けられ、液体を噴霧するための噴霧ノズルと、前記噴霧ノズルに供給する液体を貯蔵するタンクと、前記タンク内の液体を前記噴霧ノズルに供給するための液体供給ポンプをさらに備え、前記各吸引口の開口は、前記吸引ノズルと前記噴霧ノズルを結ぶ方向に直交する方向に扁平であることを特徴とする請求項１乃至請求項５のいずれかに記載の美顔器。
【請求項７】
前記装着部の内周面に、少なくとも１カ所の開放穴を設けたことを特徴とする請求項１乃至請求項６のいずれかに記載の美顔器。
【請求項８】
前記吸引ノズルの外周部に滑り止めを設けたことを特徴とする請求項１乃至請求項７のいずれかに記載の美顔器。
【請求項９】
前記吸引ノズルの装着方向に応じて、前記吸引ポンプの内部空間の容積を変化させる内容積可変手段を有することを特徴とする請求項１乃至請求項８のいずれかに記載の美顔器。
【発明の詳細な説明】
【技術分野】
【０００１】
本発明は、吸引ノズルを肌に当接させて皮脂や肌の汚れを吸引除去する美顔器、特に鼻の根元や鼻の側面など鼻部全体に対して吸引ノズルの吸引口を確実に密着させることができ、皮脂や汚れの除去効果を向上させた美顔器に関する。
【背景技術】
【０００２】
この種の美顔器では、吸引ノズルの吸引口を肌に当接させて、吸引ポンプを駆動することによって吸引口から皮脂や汚れなどを吸引除去すると共に、吸引部をマッサージするように構成されている。ところが、吸引ノズルの吸引口を肌に当接させて使用する際、吸引ノズルの吸引口が比較的大きい場合、鼻の根元や鼻の側面などに当接させると、吸引ノズルの吸引口と肌の間にわずかな隙間が発生し、吸引口と肌の密着性が不十分となり、十分な皮脂や汚れの除去ができないという問題が生じる。一方、鼻の根元などに当接させても吸引口が肌に密着しうる程度に吸引ノズルの吸引口を小さくすると、顔の全体から皮脂や汚れを除去するのに時間がかかるという問題を生じる。
【０００３】
なお、特許文献１には、吸引ノズルを着脱可能なアタッチメント構造にした美顔器が示されている。しかしながら、その美顔器では、肌の一部分が吸引ノズルに吸い込まれることを防止するために、吸引ノズルの先端部を、径が大きく、肌に直接接触する環状エッジと、環状エッジよりも径が小さく、実際に吸引ノズルの吸引口として機能する緩衝エッジの二重構造としたものであり、吸引ノズルを鼻の根元や鼻の側面などに当接させることを目的としたものではない。
【特許文献１】特開２０００−１９７５１８号公報
【発明の開示】
【発明が解決しようとする課題】
【０００４】
本発明は、上記の問題を解決するためになされたものであり、鼻の根元及び鼻の全体を十分に密着させることができ、鼻部全体から皮脂や汚れを十分に吸引できる美顔器を提供することを目的とする。
【課題を解決するための手段】
【０００５】
上記目的を達成するために請求項１の発明は、美顔器であって、吸引力を発生させるための吸引ポンプと、前記吸引ポンプの装着部に着脱可能であり、吸引口の開口の小さい第１端部と吸引口の開口の大きい第２端部を有し、前記第１端部及び前記第２端部のいずれからも前記装着部に装着可能な吸引ノズルと、前記装着部の内周面と前記吸引ノズルの外周面との間に設けられ、前記装着部と前記吸引ノズルの間を密閉するシール部材を備えたことを特徴とする。
【０００６】
請求項２の発明は、請求項１の美顔器において、前記シール部材は、前記装着部の内周部に設けられていることを特徴とする。
【０００７】
請求項３の発明は、請求項１の美顔器において、前記シール部材は、前記吸引ノズルの外周部に設けられていることを特徴とする。
【０００８】
請求項４の発明は、請求項１乃至請求項３のいずれかの美顔器において、前記各吸引口の開口は、略円形、略楕円形及び略小判型から選択されたいずれか１つの形状を有することを特徴とする。
【０００９】
請求項５の発明は、請求項１乃至請求項４のいずれかの美顔器において、前記吸引ノズルは弾性材料で形成されていることを特徴とする。
【００１０】
請求項６の発明は、請求項１乃至請求項５のいずれかの美顔器において、前記吸引ノズルの近傍に設けられ、液体を噴霧するための噴霧ノズルと、前記噴霧ノズルに供給する液体を貯蔵するタンクと、前記タンク内の液体を前記噴霧ノズルに供給するための液体供給ポンプをさらに備え、前記各吸引口の開口は、前記吸引ノズルと前記噴霧ノズルを結ぶ方向に直交する方向に扁平であることを特徴とする。
【００１１】
請求項７の発明は、請求項１乃至請求項６のいずれかの美顔器において、前記装着部の内周面に、少なくとも１カ所の開放穴を設けたことを特徴とする。
【００１２】
請求項８の発明は、請求項１乃至請求項７のいずれかの美顔器において、前記吸引ノズルの外周部に滑り止めを設けたことを特徴とする。
【００１３】
請求項９の発明は、請求項１乃至請求項８のいずれかの美顔器において、前記吸引ノズルの装着方向に応じて、前記吸引ポンプの内部空間の容積を変化させる内容積可変手段を有することを特徴とする。
【発明の効果】
【００１４】
請求項１の発明によれば、吸引ノズルを着脱可能なアタッチメントとしながら、シール部材によって空気漏れを防止しつつ、吸引ノズルの吸引口を肌に当接させて、吸引ポンプを駆動することによって吸引口から皮脂や汚れなどを吸引除去することができる。また、吸引ノズルは、吸引口の開口の小さい第１端部と吸引口の開口の大きい第２端部のいずれからも装着部に装着可能であり、鼻の根元や鼻の側面などを吸引するときは、吸引口の開口の大きい第２端部から装着部に装着し、吸引口の開口の小さい第１端部を用いて肌を吸引する。また、頬など鼻以外の部分を吸引するには、吸引口の開口の小さい第１端部から装着部に装着し、吸引口の開口の大きい第２端部を用いて肌を吸引する。その結果、ユーザは、吸引する箇所に応じて、吸引ノズル２の装着方向を適宜切り換えて使用することができ、短時間の内に効率良く、所望する範囲から皮脂や汚れを除去することができる。
【００１５】
請求項２の発明によれば、シール部材が装着部の内周部に設けられているので、吸引ノズル及び装着部の外径が大きくなるものの、ユーザが不用意にシール部材に触れる可能性が低減され、シール部材の損傷やシール部材の装着不良による空気漏れの発生を防止することができる。
【００１６】
請求項３の発明によれば、シール部材が吸引ノズルの外周部に設けられているので、吸引ノズル及び装着部の外径を小さくすることができる。
【００１７】
請求項４の発明によれば、各吸引口の開口が略円形、略楕円形及び略小判型から選択されたいずれか１つの形状を有しているので、吸引する場所や美顔器の機能などに応じて、適宜選択することにより、効率良く肌から皮脂や汚れを吸引することができる。
【００１８】
請求項５の発明によれば、吸引ノズルを弾性材料で形成しているので、吸引ノズルの吸引口と肌との密着性を向上させることができる。
【００１９】
請求項６の発明によれば、各吸引口の開口を吸引ノズルと噴霧ノズルを結ぶ方向に直交する方向に扁平としているので、噴霧ノズルから噴霧される液体を吸引ノズルによって妨げられることなく効率良く吸引ノズルの近傍に噴霧することができる。
【００２０】
請求項７の発明によれば、装着部の内周面に少なくとも１カ所の開放穴を設けているので、吸引ノズルを装着部から取り外し、装着部を直接肌に当接させて使用した場合に、開放穴から外気が吸引され、吸引力が適度に低減されるので、肌が装着部の内部に吸引されることを防止することができ、充血による紫斑が発生する可能性を低減させることができる。また、吸引ノズルを装着部に装着すると、吸引ノズルの外周部によって開放穴が塞がれるので、吸引力が低下されることなく、吸引ノズル２の吸引口から皮脂や汚れを吸引することができる。
【００２１】
請求項８の発明によれば、吸引ノズルの外周部に滑り止めを設けたので、吸引ノズルを装着部に装着したり、装着部から吸引ノズルを取り外す際の作業性を向上させることができる。
【００２２】
請求項９の発明によれば、内容積可変手段により、吸引ノズルの装着方向に応じて吸引ポンプの内部空間の容積を変化させるので、吸引ノズルが吸引口の開口の小さい第１端部から装着部に装着されているときは、内容積可変手段により吸引ポンプの内部空間の容積を大きくして吸引ポンプの圧力を低下させ、吸引ノズルが吸引口の開口の大きい第２端部から装着部に装着されているときは、内容積可変手段により吸引ポンプの内部空間の容積を小さくして吸引ポンプの圧力を増加させることができる。その結果、吸引ノズルの装着方向にかかわらず、最適な吸引力で肌から皮脂や汚れを吸引することができる。
【発明を実施するための最良の形態】
【００２３】
本発明の一実施の形態について図面を参照して説明する。図１は本実施の形態に係る美顔器１の外観を示す正面図であり、図２はその内部構成を示す側部断面図である。
【００２４】
図１に示すように、美顔器１の筐体１０の略下半分は、ユーザが掌で握るためのグリップ部である。また、筐体１０の上半分の略中央部には吸引ノズル２が設けられており、さらに吸引ノズル２の近傍で、かつ上方には、液体を肌に対して噴霧するための噴霧ノズル３が設けられている。美顔器１による皮脂や汚れの吸引をオン／オフするためのメインスイッチ４は筐体１０正面の略中央部に設けられている。また、液体の噴霧をオン／オフするための噴霧スイッチ５は筐体１０の右側面上部に設けられている。
【００２５】
図２に示すように、筐体１０の内部で、グリップ部の内側には、充電式の二次電池などの電源用バッテリ６及びメインスイッチ４のスイッチ片７などが設けられている。また、筐体１０の内部の略中央部には、駆動モータ８が設けられている。駆動モータ８の上方で、かつ、正面から見て吸引ノズル２の背部には、吸引ポンプ２０及び液体供給ポンプ３０が、駆動モータ８の駆動軸８１を挟んで互いに対向するように設けられている。液体供給ポンプ３０のさらに上方には、水などの液体を貯蔵するためのタンク９が設けられている。
【００２６】
本実施の形態に係る美顔器１では、吸引ポンプ２０と液体供給ポンプ３０を一つの駆動モータ８で駆動し、吸引ポンプ２０と液体供給ポンプ３０を同時駆動できる構造としている。そのため、吸引ノズル２による皮脂や汚れの吸引と噴霧ノズル３による液体の噴霧を同時に行うことができる。また、筐体１０を小型化し、重量バランスが良く、使い勝手の良い美顔器１を実現することができる。
【００２７】
図３は、図２における駆動モータ８よりも上の部分の拡大断面図である。吸引ポンプ２０は、吸引ノズル２の後端を開閉する吸引弁２１と、吸引弁２１と一体的に形成され、吸引弁２１の開閉動作とは逆に閉開動作を行う排気弁２２と、吸引ポンプ２０の内部空間の容積を変化させるために変形される弾性体（ダイアフラム）２３などで構成されている。
【００２８】
吸引ノズル２の先端の吸気口が開放されている状態では、弾性体２３が吸引ポンプ２０の内部空間の容積を増加させる方向に変形されると、吸引弁２１が開き、排気弁２２が閉じて、吸引ノズル２の吸引口から空気を吸い込む。逆に、弾性体２３が吸引ポンプ２０の内部空間の容積を減少させる方向に変形されると、吸引弁２１が閉じ、排気弁２２が開いて、吸引ポンプ２０の内部空間の空気を排気口から吐き出す。
【００２９】
吸引ノズル２の先端の吸気口に肌が当接している状態では、弾性体２３が吸引ポンプ２０の内部空間の容積を増加させる方向に変形されると、吸引弁２１が開き、排気弁２２が閉じて、吸引ノズル２の内部空間と吸引ポンプ２０の内部空間とが連通されると共に、その容積が増加するので、これらの内部の圧力が低下する。次に、弾性体２３が吸引ポンプ２０の内部空間の容積を減少させる方向に変形されると、吸引弁２１が閉じ、吸引ノズル２の内部空間が閉ざされて、その圧力は維持される。一方、排気弁２２が開くと、吸引ポンプ２０の内部の空気が排気口から吐き出され、外気と同じ圧力になる。この弾性体２３の変形を連続して繰り返すと、吸引ノズル２の内部空間の圧力が徐々に低下し、吸引力が生じる。その結果、肌から皮脂や汚れが吸い出される。
【００３０】
液体供給ポンプ３０も同様に、液体供給ポンプ３０に外部に連通され、外気を吸引するための吸気弁３１と、吸気弁３１と一体的に形成され、吸気弁３１の開閉動作とは逆に閉開動作を行う排気弁３２と、液体供給ポンプ３０の内部空間の容積を変化させるために変形される弾性体３３などで構成されている。液体供給ポンプ３０の排気口３４は、液体の噴霧を行なう噴霧ノズル３の吐き出し口に接続され、吸気弁３１から吸い込んだ空気を排気管４０を介して噴霧ノズル３に送り込む。噴霧ノズル３では、周知のベンチュリー効果を利用して噴霧を発生させている。
【００３１】
吸引ノズル２は、吸引ポンプ２０に対して着脱可能なアタッチメントとして構成されており、中央部に形成された鍔２Ａに対してその両側近傍２Ｂ及び２Ｃは同一の外径を有しており、前後を逆にして吸引ポンプ２０の装着部２７に装着可能である。また、吸引ノズル２の第１端部２Ｄの吸引口の開口は第２端部２Ｅの吸引口の開口よりも径が小さくなるように形成されている。また、第１端部２Ｄ及び第２端部２Ｅの近傍の外径は、鍔２Ａの両側近傍２Ｂ及び２Ｃの外径よりも小さくなるように形成されている。さらに、吸引ノズル２と吸引ポンプ２０の装着部２７との間には、空気漏れを防止するために、例えばゴムなどの弾性材料で形成され、吸引ノズル２の外周面と吸引ポンプ２０の装着部２７の内周面に密着するシール部材２８が設けられている。
【００３２】
吸引ノズル２の第１端部２Ｄの吸引口の開口は、鼻の根元や鼻の側面などに当接させたときでも、吸引ノズル２の吸引口と肌の間に隙間が生じない又は生じにくい大きさに設定されている。一方、吸引ノズル２の第２端部２Ｅの吸引口の開口は、頬など鼻以外の部分から効率良く皮脂や汚れを吸引できるような大きさに設定されている。ユーザは、吸引する箇所に応じて、吸引ノズル２の装着方向を適宜切り換えて使用することができ、短時間の内に効率良く、所望する範囲から皮脂や汚れを除去することができる。さらに、吸引ノズル２を吸引ポンプ２０の装着部２７から取り外し、装着部２７を直接肌に当接させて、皮脂や汚れを吸引することも可能である。その場合、装着部２７の開口は、吸引ノズル２の第２端部２Ｅの吸引口の開口よりも大きいので、より広い範囲から皮脂や汚れを吸引することができる。
【００３３】
吸引ノズル２の具体的寸法を図４に示す。図４において、（ａ）は吸引ノズル２の第１端部２Ｄの吸引口を示し、（ｂ）は吸引ノズル２の第２端部２Ｅの吸引口を示す。図４（ａ）に示すように、第１端部２Ｄの吸引口の開口は、例えば長径が約４．５ｍｍで短径が約４．０ｍｍの略楕円形を有している。また、吸引口近傍の樹脂の厚さは約１．０ｍｍである。また、図４（ｂ）に示すように、第２端部２Ｅの吸引口の開口は、例えば長径が約９．５ｍｍで短径が約７．０ｍｍの略楕円形を有している。また、吸引口近傍の樹脂の厚さは約１．５ｍｍである。なお、吸引ノズル２の材料は特に限定されないが、吸引ノズル２自体を硬質ゴムなどの弾性材料で形成することにより、吸引ノズル２の吸引口と肌との密着性を向上させることができる。
【００３４】
前述のように、本実施の形態では、吸引ノズル２から皮脂や汚れを除去すると同時に、肌に向けて、噴霧ノズル３から液体を噴霧するように構成している。その際、噴霧ノズル３から噴霧される液体が吸引ノズル２が当接する部分の近傍に効率良く供給されるように、各吸引口の開口が、吸引ノズル２と噴霧ノズル３を結ぶ方向に直交する方向に扁平となるように、略楕円形の短径方向を噴霧ノズル３側に向けることが好ましい。
【００３５】
なお、上記数値は、本出願人が実験によって得られた最適と思われる数値を例示したものであって、本発明はこれらの数値に限定されるものではない。また、吸引口の開口は、必ずしも略楕円形である必要はなく、略円形や略小判形（長円形）など、その他の形状であってもよいことは言うまでもない。さらに、液体の噴霧機能を有していない美顔器においては、吸引口の開口の形状は自由である。なお、ここでいう略円形、略楕円形及び略小判形は、数学で定義された円形及び楕円形及び実在する小判の相似形のみならず、これらの変形をも含み、社会通念上、円形、楕円形及び小判形と呼ばれるものである。
【００３６】
次に、本実施の形態に係る美顔器１の変形例について説明する。図５に示す変形例では、吸引ノズル２から鍔を省略すると共に、シール部材２８を吸引ノズル２の外周部の軸方向の略中央に装着したものである。図５中、（ａ）は吸引口の開口が小さい第１端部２Ｄ側を外側にして吸引ノズル２を吸引ポンプ２０の装着部２７に装着した状態を示し、（ｂ）は吸引口の開口が大きい第２端部２Ｅ側を外側にして吸引ノズル２を吸引ポンプ２０の装着部２７に装着した状態を示す。吸引ノズル２の外周部には、吸引ポンプ２０の装着部２７に装着したときに吸引ノズル２の傾きを防止するために、装着部２７の内径と略等しい外径を有する環状の突起２Ｆが形成されている。この突起２Ｆは、吸引ノズル２を装着部２７に装着したり、あるいは装着部２７から取り外す際の、滑り止めとしても機能する。このように、シール部材２８を吸引ノズル２に設けることにより、上記と同様の効果が得られると共に、吸引ノズル２及び吸引ポンプ２０の装着部２７の外径を小さくすることができる。逆に、図３に示すように、シール部材２８を吸引ポンプ２０の装着部２７の内周部に設けることにより、吸引ノズル２及び吸引ポンプ２０の装着部２７の外径が大きくなるものの、ユーザが不用意にシール部材２８に触れる可能性が低減され、シール部材２８の損傷やシール部材２８の装着不良による空気漏れの発生を防止することができる。
【００３７】
図６は、図５と同様にシール部材２８を吸引ノズル２の外周部の軸方向の略中央に装着した変形例を示す。図６において、（ａ）は吸引ノズル２の外周面を円筒状としたものであり、（ｂ）は吸引ノズル２の外周面に滑り止め２Ｇを設けたものである。これらは、図５に示す形状に比べて、吸引ポンプ２０の装着部２７に装着したときに、吸引ノズル２が若干傾きやすくなるものの、吸引ノズル２の構造及びそれを成形する金型の構造が簡単になり、成形コストを低減することができる。
【００３８】
前述のように、吸引ノズル２を吸引ポンプ２０の装着部２７から取り外し、装着部２７を直接肌に当接させて使用することも可能である。その場合、吸引力は吸引ポンプ２０による圧力（負圧）と吸引口の開口部の面積の積で決定されるので、吸引力が大きすぎると、肌が装着部２７の内部に吸引され、肌に充血による紫斑が発生する可能性がある。そこで、図７に示すように、吸引ポンプ２０の装着部２７の内周面に、少なくとも1箇所の開放穴２９を設けてもよい。このように開放穴２９を設けることにより、吸引ノズル２を装着していないときは、開放穴２９から外気が吸引され、吸引力が適度に低減されるので、肌が装着部２７の内部に吸引されることを防止することができる。その結果、充血による紫斑が発生する可能性を低減させることができる。なお、図８に示すように、吸引ノズル２が吸引ポンプ２０の装着部２７に装着されると、吸引ノズル２の外周部によって開放穴２９が塞がれるので、吸引力が低下されることなく、吸引ノズル２の吸引口から皮脂や汚れを吸引することができる。
【００３９】
また、上記のように吸引力は吸引ポンプ２０による圧力と吸引口の開口部の面積の積で決定されるので、吸引ポンプ２０の圧力を、吸引ノズル２の吸引口の開口の大きい第２端部２Ｅ側を使用して吸引するときに最適な吸引力となるように設定すると、吸引口の開口の小さい第１端部２Ｄ側を使用して吸引するときに十分な吸引力が得られない可能性がある。図９及び図１０に示す変形例では、吸引ポンプ２０に、その内部空間の容積を可変とする内容積可変部材５０を設けたものである。内容積可変部材５０は、吸引ポンプ２０の内部空間２０Ａに突出可能なように、吸引ポンプ２０のハウジング２０Ｂに摺動可能に保持されている。図９に示すように吸引ノズル２の吸引口の開口の大きい第２端部２Ｅ側を使用して吸引するときは、吸引口の開口の小さい第１端部２Ｄがハウジング２０Ｂに当接し、内容積可変部材５０は図中左側に待避している。そのため、吸引ポンプ２０の内部空間の容積は減少されず、吸引ノズル２の吸引口の開口の大きい第２端部２Ｅ側を使用して吸引するときに最適な吸引力を発生させる。一方、図１０に示すように吸引ノズル２の吸引口の開口の小さい第１端部２Ｄ側を使用して吸引するときは、吸引口の開口の大きい第２端部２Ｅが内容積可変部材５０に当接し、内容積可変部材５０が吸引ポンプ２０の内部空間２０Ａ中に突出する。そのため、吸引ポンプ２０の内部空間の容積が減少され、吸引ポンプによる圧力（負圧）を増加させることができ、吸引ノズル２の吸引口の開口の小さい第１端部２Ｄ側を使用して吸引するときでも最適な吸引力を発生させることができる。
【図面の簡単な説明】
【００４０】
【図１】本発明の一実施の形態に係る美顔器の外観を示す正面図。
【図２】上記美顔器の内部構成を示す側部断面図。
【図３】図２における駆動モータよりも上の部分の拡大断面図。
【図４】（ａ）は吸引ノズルを吸引口の開口の小さい第１端部側から見た斜視図、（ｂ）は吸引ノズルを吸引口の開口の大きい第２端部側から見た斜視図。
【図５】（ａ）は本実施の形態に係る美顔器の変形例において吸引ノズルの吸引口の開口の小さい第１端部側を使用する状態を示す側部断面図、（ｂ）は吸引口の開口の大きい第２端部側を使用する状態を示す側部断面図。
【図６】（ａ）及び（ｂ）はそれぞれ本実施の形態における吸引ノズルの他の変形例を示す側面図。
【図７】本実施の形態に係る美顔器の他の変形例において、吸引ノズルを取り外して使用する状態を示す側部断面図。
【図８】図７に示す変形例において、吸引ノズルを装着して使用する状態を示す側部断面図。
【図９】本実施の形態に係る美顔器の他の変形例において、吸引口の開口の大きい第２端部側を使用する状態を示す側部断面図。
【図１０】図９に示す変形例において、吸引口の開口の小さい第１端部側を使用する状態を示す側部断面図。
【符号の説明】
【００４１】
１  美顔器
２  吸引ノズル
２Ｄ  （吸気口の開口の小さい）第１端部
２Ｅ  （吸気口の開口の大きい）第２端部
２Ｆ  突起（滑り止め）
２Ｇ  滑り止め
３  噴霧ノズル
５  噴霧スイッチ
８  駆動モータ
２０  吸引ポンプ
２０Ａ  内部空間
２０Ｂ  ハウジング
２７  装着部
２８  シール部材
２９  開放穴
３０  液体供給ポンプ
５０  内容積可変部材（内容積可変手段）
【図１】
2005198988.tif 000003
【図２】
2005198988.tif 000004
【図３】
2005198988.tif 000005
【図４】
2005198988.tif 000006
【図５】
2005198988.tif 000007
【図６】
2005198988.tif 000008
【図７】
2005198988.tif 000009
【図８】
2005198988.tif 000010
【図９】
2005198988.tif 000011
【図１０】
2005198988.tif 000012